(57)【要約】      （修正有）【課題】新聞紙・雑誌などの資源ゴミを容易に取り出すことができる資源ゴミ収納箱の提供。【解決手段】収集箱を、稼動部１と固定部２とに分け、稼動部１は固定部２の間に設けたロック８を外すことにより回転軸３を中心に回転して分離できるようにし、固定部２に底上げして固定した固定底板６と稼動底載板１５に取り付けた資源ゴミ支持底板９とを、また稼動部１に稼動底回転軸４により固定された稼動部底板５とを設け、稼動部底板５が、稼動部１の回転と同期して稼動底回転軸４を中心に回転して下に下がる構造とすることにより、資源ゴミ支持底板９に支えられた資源ゴミと資源箱基底棒１３との間に出来る隙間を利用して、縛り紐を通し資源ゴミを結わえる。【選択図】図２
2011001193.tif 000002
【特許請求の範囲】
【請求項１】
（イ）資源ゴミ収集箱を、回転部（１）と固定部（２）とに分け、ロック（８）を外し、稼動部（１）を回転軸（３）で回転できるようにし、資源ゴミを取り出しやすくする。
（ロ）資源ゴミ収集箱の底板は、資源箱基底枠（１３）より上部に取り付け、固定底板（６）、資源ゴミ支持底板（９）および稼動部底板（５）より構成する。
（ハ）稼動部底板（５）は、稼動部（１）に稼動底回転軸（４）を介して取り付け、稼動部（１）の回転と同期し回転する構造とする。稼動底回転軸（４）は、稼動部の右端より少し中に入った位置に取り付ける。
（ニ）また、稼動部底板（５）は、稼動底支え棒（１０）を介して稼動底回転軸（７）および資源箱基底枠（１３）の稼動底支え棒回転軸（１１）に取り付ける。これにより稼動部（１）の回転に同期して、稼動部底板（５）は下がり、資源ゴミと資源箱基底枠（１３）との間に隙間が空く。
（ホ）ここで、回転軸（３）、（４）、（７）および（１１）を結ぶ図形が平行四辺形となるように構成する。
（ヘ）稼動部底板（５）が下がり隙間が空くと、隙間を利用して、紐を資源ゴミの底に通し、結わえることが可能となる。この時、上から押されても、資源ゴミが下に崩れるのを防止するため、資源ゴミ支持底板（９）を配置する。この際、資源ゴミ支持底板（９）も一緒に結わえる。
（ト）結わえた資源ゴミ支持底板（９）は、資源ゴミ支え底板抜き取りノブ（１２）により抜き取ることができる構造とする。
（チ）資源ゴミ支持底板（９）および稼動部底板（５）を支えるため、稼動底載板（１５）を固定部に取り付け、稼動部底板（５）および資源ゴミ支持底板（９）が載るようにする。
以上のように構成された、資源ゴミ収集箱である。
【発明の詳細な説明】
【技術分野】
【０００１】  この発明は、新聞・雑誌などの資源ゴミを収集する箱であって、新聞などを強く押し込んでも破れず、一杯になった時に箱が分離でき、容易に資源ゴミを取り出すことができ、資源ゴミに紐を通し結わえることが出来る資源ゴミ収集箱に関するものである。
【背景技術】
【０００２】  従来の資源ゴミ収集箱は一体となっており分離できなかったため、取り出しが困難であった。
また、資源ゴミを紐で縛るのが困難または面倒であった。
【発明が解決しようとする課題】
【０００３】  従来の資源ゴミ収集箱には、次の様な欠点があった。
資源ゴミ収集入れはあったが、紙・ボール紙のものが多く、新聞紙などのゴミを入れるときに破れたり変形したりする。
木製の収集箱は、資源ゴミが箱に圧着し、資源ゴミを取り出すのが困難で、取り出す時に力が必要であった。
資源ゴミを結わえるため、紐を通すのが面倒で、紐を結わえるのが困難であった。
本発明は以上の欠点を無くすためになされたものである。
【発明が解決するための手段】
【０００４】  以下に本発明を実施するための最良の手段について説明する。
資源ゴミ収集箱を、回転部（１）と固定部（２）とに分け、ロック（８）を外し、稼動部（１）を回転軸（３）で回転できるようにし資源ゴミを取り出しやすくする。この際、固定部（２）は回転部（１）より幅を小さく取り、資源ゴミを縛り易く、取り出し易いように配慮する。
資源ゴミ収集箱の底板は、資源箱基底枠（１３）より上部に取り付け、固定底板（６）、資源ゴミ支持底板（９）および稼動部底板（５）より構成する。
稼動部底板（５）および資源ゴミ支持底板（９）が、上部より強く押されても下がったりしないように固定部に稼動底載板（１５）を取り付け、上に稼動部底板（５）および資源ゴミ支持底板（９）が載るようにする。
稼動部底板（５）は、稼動部（１）に稼動底回転軸（４）を介して取り付け、稼動部（１）の回転と同期し回転する構造とする。
また、稼動部底板（５）は、稼動底支え棒（１０）を介して稼動部底板（５）の資源ゴミ支持底板（９）および資源箱基底枠（１３）の稼動底支え棒回転軸（１１）に取り付け、稼動部（１）の回転に同期して下がる構造とする。
ここで、回転軸（３）、（４）、（７）および（１１）を結ぶ図形が平行四辺形となるように構成する。
回転部（１）を倒し、稼動部底板（５）が下がった時、資源ゴミを資源ゴミ支持底板（９）により支え、資源ゴミと資源箱基底枠（１３）との間に隙間を空けることにより、紐を資源ゴミの底に通し、結わえることを可能とする。この際、資源ゴミ支持底板（９）も一緒に結わえる。
結わえた資源ゴミ支持底板（９）は、資源ゴミ支え底板抜き取りノブ（１２）により抜き取ることができる構造とする。
本発明は、以上の構成よりなる資源ゴミ収集箱である。
【発明の効果】
【０００５】  新聞・雑誌などの資源ゴミを収集する箱で、資源ゴミが一杯になった状態で、箱を開けられる構造とし、容易に資源ゴミを取り出すことができる。
収集箱を空けるのと同期して、資源ゴミと底板との間に隙間を空け、紐を通しやすくし、紐で縛り易い。
紙袋などの収納では、硬い本などを入れると変形したり、破けたりしたが、本収納箱は木製、金属またはプラスチックなどで作成できるので、丈夫で、強く抑えても変形することは無い。
また専用の引き出しを設けることで、紐、鋏などの資源ゴミの整理に必要な資材をしまっておくことができる。
【発明を実施するための最良の形態】
【０００６】  以下に本発明を実施するための最良の形態について説明する。
収集箱を、回転部（１）と固定部（２）とに分け、回転部（１）と固定部（２）の間にロック（８）を設け回転部（１）と固定部（２）を固定する。
ロック（８）を外すことにより、回転軸（３）を中心に稼動部（１）を回転する事が出来る構造にし、稼動部（１）を回転することにより、固定部（２）と稼動部（１）を分離できるようにする。この際、固定部（２）は回転部（１）より幅を小さく取り、資源ゴミを縛り易く、取り出し易いように配慮する。
底板は底上げし、固定部（２）に固定された固定底板（６）と稼動部（１）に取り付けられた稼動部底板（５）および資源ゴミ支持底板（９）より構成する。
稼動部底板（５）および資源ゴミ支持底板（９）が、上部より強く押されても下がったりしないように固定部に稼動底載板（１５）を取り付け、上に稼動部底板（５）および資源ゴミ支持底板（９）が載るようにする。
稼動部底板（５）は、稼動部（１）の回転と同期し稼動底回転軸（４）を中心に回転できる構造とする。
稼動底支え棒（１０）は、稼動底回転軸（７）で稼動底に、また稼動底支え棒回転軸（１１）で資源箱基底棒に取り付け、稼動部（１）の回転と同期し、稼動底回転軸（７）および稼動底支え棒回転軸（１１）で回転し、稼動部底板（５）が下に下がり、資源ゴミとの間に隙間が出来るように配置する。
回転部（１）を倒し、稼動部底板（５）が下がった時、資源ゴミを資源ゴミ支持底板（９）により支え、資源ゴミと資源箱基底枠（１３）との間に隙間を空けることにより、紐を資源ゴミの底に通し、結わえることを可能とする。この際、資源ゴミ支持底板（９）も一緒に結わえる。
紐で縛った後は、資源ゴミ支え底板抜き取りノブ（１２）により資源ゴミ支え板を抜き取ることが出来る構造とする。
引き出し（１４）は、資源ゴミを縛る縄、鋏などをしまう場所として使用できるようにする。
【図面の簡単な説明】
【０００７】
【図１】本発明の斜視図である。
【図２】本発明の資源ゴミ収集箱の分離した状態の側面図である。
【図３】本発明の資源ゴミ収集箱の底板部の構造図である。
【符号の説明】
【０００８】  １  稼動部
２  固定部
３  稼動部回転軸
４  稼動底回転軸
５  稼動部底板
６  固定底
７  稼動底支え棒回転軸
８  フック
９  資源ゴミ支持底板
１０稼動底支え棒
１１稼動底支え棒回転軸
１２資源ゴミ支持底板抜き取りノブ
１３資源箱基底枠
１４引き出し
１５稼動底載板
【図１】
2011001193.tif 000003
【図２】
2011001193.tif 000004
【図３】
2011001193.tif 000005